(57)【要約】【課題】棚割パターンの改善について省労力で質が高い提案を行うこと。【解決手段】実店舗における複数の棚に適用された複数の棚割パターン（例えば、スペース構成比）に基づいて、複数の棚のうち提案対象の棚に関する理想棚割パターン（棚割統計値）を生成し、理想棚割パターンと提案対象の棚に適用された実棚割パターン（実棚構成比）との差分を算出し、市場動向（市場ＰＯＳデータベース３０２）および差分に基づいて、理想棚割パターンに補正をかけ、提案対象の棚に関する提案棚割パターンを生成するカテゴリ別スペースシェア分析部３０４を備えている。【選択図】      図１
2004227272.tif 000002
【特許請求の範囲】
【請求項１】
コンピュータを、
実店舗における複数の棚に適用された複数の棚割パターンに基づいて、前記複数の棚のうち提案対象の棚に関する理想棚割パターンを生成する理想棚割パターン生成手段、
前記理想棚割パターンと前記提案対象の棚に適用された実棚割パターンとの差分を算出する理想棚／実棚差分算出手段、
市場動向および前記差分に基づいて、前記理想棚割パターンに補正をかけ、前記提案対象の棚に関する提案棚割パターンを生成する提案棚割パターン生成手段、
として機能させるための棚割分析プログラム。
【請求項２】
実店舗における複数の棚に適用された複数の棚割パターンに基づいて、前記複数の棚のうち提案対象の棚に関する理想棚割パターンを生成する理想棚割パターン生成工程と、
前記理想棚割パターンと前記提案対象の棚に適用された実棚割パターンとの差分を算出する理想棚／実棚差分算出工程と、
市場動向および前記差分に基づいて、前記理想棚割パターンに補正をかけ、前記提案対象の棚に関する提案棚割パターンを生成する提案棚割パターン生成工程と、
を含むことを特徴とする棚割分析方法。
【請求項３】
実店舗における複数の棚に適用された複数の棚割パターンに基づいて、前記複数の棚のうち提案対象の棚に関する理想棚割パターンを生成する理想棚割パターン生成手段と、
前記理想棚割パターンと前記提案対象の棚に適用された実棚割パターンとの差分を算出する理想棚／実棚差分算出手段と、
市場動向および前記差分に基づいて、前記理想棚割パターンに補正をかけ、前記提案対象の棚に関する提案棚割パターンを生成する提案棚割パターン生成手段と、
を備えたことを特徴とする棚割分析装置。
【発明の詳細な説明】
【０００１】
【発明の属する技術分野】
本発明は、複数のアイテム（商品）が陳列される陳列棚における棚割パターンの分析に用いられる棚割分析プログラム、棚割分析方法および棚割分析装置に関するものであり、特に、棚割パターンの改善について省労力で質が高い提案を行うことができる棚割分析プログラム、棚割分析方法および棚割分析装置に関するものである。
【０００２】
【従来の技術】
従来より、店舗における陳列棚の棚割パターンは、ＰＯＳ（Ｐｏｉｎｔ  Ｏｆ  Ｓａｌｅｓ）データ等に基づいて、作成される。この棚割パターンは、商品の売り上げを左右するため、店舗側、商品の営業担当者にとって非常に重要な要素である。
【０００３】
また、上記営業担当者は、商品拡販の一環として、担当店舗の陳列棚における商品の棚割パターンの改善について、店舗側へ提案している。
【０００４】
【特許文献１】
特開２００２−１４９７７７号公報
【０００５】
【発明が解決しようとする課題】
ところで、前述したように、従来においては、営業担当者が、独自のノウハウや経験に基づいて、現状の棚割パターンを分析し、棚割パターンの改善について提案することになるが、多大な労力がかかるとともに、提案の質にバラツキが生じるという問題があった。
【０００６】
すなわち、棚割パターンの改善について提案する場合には、データの収集、分析手法の検討、分析、提案書のストーリづくり等に時間を要する。また、提案の質に関しても、営業担当者のスキルに依存するため、バラツキが生じる。
【０００７】
本発明は、上記に鑑みてなされたもので、棚割パターンの改善について省労力で質が高い提案を行うことができる棚割分析プログラム、棚割分析方法および棚割分析装置を提供することを目的とする。
【０００８】
【課題を解決するための手段】
上記目的を達成するために、請求項１にかかる発明は、コンピュータを、実店舗における複数の棚に適用された複数の棚割パターンに基づいて、前記複数の棚のうち提案対象の棚に関する理想棚割パターンを生成する理想棚割パターン生成手段、前記理想棚割パターンと前記提案対象の棚に適用された実棚割パターンとの差分を算出する理想棚／実棚差分算出手段、市場動向および前記差分に基づいて、前記理想棚割パターンに補正をかけ、前記提案対象の棚に関する提案棚割パターンを生成する提案棚割パターン生成手段、として機能させるための棚割分析プログラムである。
【０００９】
また、請求項２にかかる発明は、実店舗における複数の棚に適用された複数の棚割パターンに基づいて、前記複数の棚のうち提案対象の棚に関する理想棚割パターンを生成する理想棚割パターン生成工程と、前記理想棚割パターンと前記提案対象の棚に適用された実棚割パターンとの差分を算出する理想棚／実棚差分算出工程と、市場動向および前記差分に基づいて、前記理想棚割パターンに補正をかけ、前記提案対象の棚に関する提案棚割パターンを生成する提案棚割パターン生成工程と、を含むことを特徴とする。
【００１０】
また、請求項３にかかる発明は、実店舗における複数の棚に適用された複数の棚割パターンに基づいて、前記複数の棚のうち提案対象の棚に関する理想棚割パターンを生成する理想棚割パターン生成手段と、前記理想棚割パターンと前記提案対象の棚に適用された実棚割パターンとの差分を算出する理想棚／実棚差分算出手段と、市場動向および前記差分に基づいて、前記理想棚割パターンに補正をかけ、前記提案対象の棚に関する提案棚割パターンを生成する提案棚割パターン生成手段と、を備えたことを特徴とする。
【００１１】
かかる発明によれば、実店舗における複数の棚に適用された複数の棚割パターンに基づいて、複数の棚のうち提案対象の棚に関する理想棚割パターンを生成した後、理想棚割パターンと提案対象の棚に適用された実棚割パターンとの差分および市場動向に基づいて、理想棚割パターンに補正をかけ、提案対象の棚に関する提案棚割パターンを生成することとしたので、棚割パターンの改善について省労力で質が高い提案を行うことができる。
【００１２】
【発明の実施の形態】
以下、図面を参照して本発明にかかる棚割分析プログラム、棚割分析方法および棚割分析装置の一実施の形態について詳細に説明する。
【００１３】
図１は、本発明にかかる一実施の形態の構成を示すブロック図である。この図において、棚割管理システム１００は、複数の実店舗における複数の棚（棚モデル）に適用された複数の棚割パターンや、商品データを棚割データとして、棚割データベース１０１で管理している。これらの棚割データは、各営業担当者により収集されたり、オンラインで各店舗の端末から直接収集される。また、棚割データベース１０１の棚割データは、棚割データベース３０１に格納されている。
【００１４】
ＰＯＳシステム２００は、商品全般に関する市場動向を市場ＰＯＳデータとして市場ＰＯＳデータベース２０１で管理するシステムである。
【００１５】
棚割分析装置３００は、市場ＰＯＳデータと棚割データとの双方に基づいて、複数の棚モデルのうち、当該営業担当者が担当し、店舗側へ棚割パターンの改善を提案する対象としての提案棚モデルを分析し、分析結果シート４００を出力する装置である。
【００１６】
この分析結果シート４００は、図２〜図１２に示したように複数ページから構成されており、営業担当者から店舗側への提案書や、提案書のたたき台として使用される。
【００１７】
図２に示した分析結果シート４００は、表紙シートである。この分析結果シート４００において、「ご提案先」、「棚モデル名」および「前回棚モデル名」は、ヘッダ情報４０１である。「ご提案先」は、営業担当者が棚割パターンの改善を提案する店舗や会社である。「棚モデル名」は、今回の提案対象としての棚モデルの名称である。「前回棚モデル名」は、前回の提案対象であった棚モデルの名称である。
【００１８】
棚モデル数情報４０２は、「全棚モデル数」、「ＳＭ（スーパマーケット）・ＧＭＳ棚モデル数」、「ＤＲＧ（ドラッグストア）棚モデル名」および「ＨＣ（ホームセンタ）棚モデル数」から構成されている。「全棚モデル数」は、棚割データベース３０１に格納されている全棚モデルのデータの数である。
【００１９】
「ＳＭ（スーパマーケット）・ＧＭＳ棚モデル数」、「ＤＲＧ（ドラッグストア）棚モデル名」および「ＨＣ（ホームセンタ）棚モデル数」は、全棚モデル数における店舗の業態（ＳＭ・ＧＭＳ、ＤＲＧおよびＨＣ）別の内訳である。
【００２０】
ここで、図１に戻り、棚割分析装置３００において、棚割データベース３０１には、棚割データベース１０１の棚割データが格納されている。市場ＰＯＳデータベース３０２には、市場ＰＯＳデータベース２０１の市場ＰＯＳデータが格納されている。
【００２１】
これらの棚割データベース３０１および市場ＰＯＳデータベース３０２は、入出力制御部３０３を経由してカテゴリ別スペースシェア分析部３０４等にアクセスされる。
【００２２】
カテゴリ別スペースシェア分析部３０４は、図３に示した分析結果シート４００に、カテゴリ別スペースシェア表４０３、スペース提案値表４０４、スペース提案値表４０５およびフェース数提案値表４０６を設定する機能を備えている。
【００２３】
カテゴリ別アイテムシェア分析部３０５は、図４に示したート４００に、カテゴリ別アイテムシェア表４０７、グラフ４０８およびアイテム数提案値表４０９を設定する機能を備えている。
【００２４】
スペース分布図生成部３０６は、図５および図６に示した分析結果シート４００に、カテゴリ別スペース分布図４１０〜４１５を設定する機能を備えている。サブカテゴリ別スペースシェア分析部３０７は、図７に示した分析結果シート４００に、サブカテゴリ別スペースシェア表４１６や、図８に示した分析結果シート４００に、グラフ４１７〜４２２を設定する機能を備えている。
【００２５】
価格帯別スペースシェア分析部３０８は、図９に示した分析結果シート４００に、ハブラシ価格帯別スペースシェア表４２３およびグラフ４２４を設定する機能を備えている。
【００２６】
カテゴリ別メーカシェア分析部３０９は、図１０に示した分析結果シート４００に、カテゴリ別メーカシェア表４２５を設定する機能を備えている。自社アイテム分析部３１０は、図１１に示した分析結果シート４００に、現状棚カテゴリ別自社アイテム取り扱い表４２６を設定する機能を備えている。
【００２７】
品揃え分析部３１１は、図１２に示した分析結果シート４００に、品揃え表４２７を設定する機能を備えている。なお、これらのカテゴリ別スペースシェア分析部３０４等の動作の詳細については、後述する。
【００２８】
入力部３１２は、各種データを入力するためのキーボード、マウス等である。出力部３１３は、分析結果シート４００を出力するディスプレイやプリンタ等である。
【００２９】
つぎに、一実施の形態の動作について、図１３〜図６２に示したフローチャート、および図６３を参照しつつ説明する。図１３は、本発明にかかる一実施の形態の動作を説明するフローチャートである。
【００３０】
同図に示したステップＳＡ１では、カテゴリ別スペースシェア分析部３０４（図１参照）は、図３に示した分析結果シート４００における「１．カテゴリ別スペースシェア」に関する分析を行うためのカテゴリ別スペースシェア分析処理を実行する。
【００３１】
具体的には、図１４に示したステップＳＢ１では、カテゴリ別スペースシェア分析部３０４は、カテゴリ別スペースシェア表４０３の「市場構成比」を分析するための市場構成比分析処理（図１５参照）を実行する。
【００３２】
図１５に示したステップＳＣ１では、カテゴリ別スペースシェア分析部３０４は、市場ＰＯＳデータベース３０２よりカテゴリ別に地域・業態毎の販売数および販売額のデータ（今期のみ）を取得する。
【００３３】
ステップＳＣ２では、カテゴリ別スペースシェア分析部３０４は、地域・業態毎の販売数の合計および販売額の合計を算出する。
【００３４】
ステップＳＣ３では、カテゴリ別スペースシェア分析部３０４は、ステップＳＣ１（販売数）およびステップＳＣ２（販売数の合計）を受けて、カテゴリ別に販売数構成比（（販売数／販売数の合計）×１００）を算出する。
【００３５】
ステップＳＣ４では、カテゴリ別スペースシェア分析部３０４は、ステップＳＣ１（販売額）およびステップＳＣ２（販売額の合計）を受けて、カテゴリ別に販売額構成比（（販売額／販売額の合計）×１００）を算出する。
【００３６】
ステップＳＣ５では、カテゴリ別スペースシェア分析部３０４は、ステップＳＣ３（販売数構成比）およびステップＳＣ４（販売額構成比）を受けて、カテゴリ別に市場構成比（（販売数構成比＋販売額構成比）／２）を算出する。
【００３７】
ここで、販売数構成比および販売額構成比の双方に基づいて市場構成比を算出する理由は、販売数構成比のみから算出すると、回転率が低いが高単価、高粗利のカテゴリに市場構成比が左右され、一方、販売額構成比のみから算出すると、高単価品のカテゴリに市場構成比が左右されるため、これらの弊害を防ぐためである。
【００３８】
図１４に戻り、ステップＳＢ２では、カテゴリ別スペースシェア分析部３０４は、カテゴリ別スペースシェア表４０３（図３参照）の「市場成長率」を分析するための市場成長率分析処理（図１６参照）を実行する。
【００３９】
図１６に示したステップＳＤ１では、カテゴリ別スペースシェア分析部３０４は、市場ＰＯＳデータベース３０２よりカテゴリ別に業態毎の販売数および販売額のデータ（前期および今期）を取得する。
【００４０】
ステップＳＤ２では、カテゴリ別スペースシェア分析部３０４は、業態毎の販売数の合計および販売額の合計を前期および今期のそれぞれについて算出する。
【００４１】
ステップＳＤ３では、カテゴリ別スペースシェア分析部３０４は、ステップＳＤ１（販売数）およびステップＳＤ２（販売数の合計）を受けて、カテゴリ別に販売数構成比（（販売数／販売数の合計）×１００）を前期および今期のそれぞれについて算出する。
【００４２】
ステップＳＤ４では、カテゴリ別スペースシェア分析部３０４は、ステップＳＤ１（販売額）およびステップＳＤ２（販売額の合計）を受けて、カテゴリ別に販売額構成比（（販売額／販売額の合計）×１００）を前期および今期のそれぞれについて算出する。
【００４３】
ステップＳＤ５では、カテゴリ別スペースシェア分析部３０４は、ステップＳＤ３（前期の販売数構成比）およびステップＳＤ４（前期の販売額構成比）を受けて、カテゴリ別に前期構成比（（前期の販売数構成比＋前期の販売額構成比）／２）を算出する。
【００４４】
ステップＳＤ６では、カテゴリ別スペースシェア分析部３０４は、ステップＳＤ３（今期の販売数構成比）およびステップＳＤ４（今期の販売額構成比）を受けて、カテゴリ別に今期構成比（（今期の販売数構成比＋今期の販売額構成比）／２）を算出する。
【００４５】
ステップＳＤ７では、カテゴリ別スペースシェア分析部３０４は、ステップＳＤ５（前期構成比）およびステップＳＤ６（今期構成比）を受けて、カテゴリ別に市場成長率（（今期構成比／前期構成比）×１００）を算出する。この市場成長率は、通常の前年比による成長率よりも、トレンドをつかみやすいため、前期（春夏）と今期（秋冬）とを比較した成長率とされている。
【００４６】
図１４に戻り、ステップＳＢ３では、カテゴリ別スペースシェア分析部３０４は、カテゴリ別スペースシェア表４０３（図３参照）の「棚割統計値」を分析するための棚割統計値分析処理（図１７参照）を実行する。
【００４７】
図１７に示したステップＳＥ１では、カテゴリ別スペースシェア分析部３０４は、棚割データベース３０１から提案棚モデルの総スペース値のデータを取得する。
【００４８】
ステップＳＥ２では、カテゴリ別スペースシェア分析部３０４は、棚割データベース３０１から、当該提案棚モデルが属する業態の回帰式一覧（図６３（ｄ）参照）を取得する。
【００４９】
図６３（ｄ）に示した回帰式一覧は、棚割データベース３０１に格納されている複数の棚モデルに対応する総スペース値とカテゴリ別スペース値との対応関係に基づいて、カテゴリ別に作成された回帰式の一覧である。回帰式は、線形回帰式と対数回帰式とに大別され、カテゴリ別に、総スペース値からカテゴリ別スペース値を算出するための式である。線形回帰式は、カテゴリ別スペース値をｙ、総スペース値をｘとすると、ｙ＝ａｘ＋ｂで表される。ａおよびｂは、係数である。ａＲ２は、線形回帰式の寄与率である。
【００５０】
また、対数回帰式は、カテゴリ別スペース値をｙ、総スペース値をｘとすると、ｙ＝ａＬｎ（ｘ）−ｂで表される。ａおよびｂは、係数である。ｂＲ２は、対数回帰式の寄与率である。
【００５１】
図１７に示したステップＳＥ３では、カテゴリ別スペースシェア分析部３０４は、カテゴリ別に総スペース値を各回帰式（図６３（ｄ）参照）に適用し、カテゴリ別に理想スペース値（平均的なスペース値）を算出する。
【００５２】
ステップＳＥ４では、カテゴリ別スペースシェア分析部３０４は、ステップＳＥ３で算出された理想スペース値の合計を算出する。ステップＳＥ５では、カテゴリ別スペースシェア分析部３０４は、ステップＳＥ３（理想スペース値）およびステップＳＥ４（理想スペース値の合計）を受けて、理想スペース値の構成比、すなわち、棚割統計値（（理想スペース値／理想スペース値の合計）×１００）を算出する。
【００５３】
図１４に戻り、ステップＳＢ４では、カテゴリ別スペースシェア分析部３０４は、カテゴリ別スペースシェア表４０３（図３参照）の「現状棚」を分析するための現状棚分析処理（図１８参照）を実行する。
【００５４】
図１８に示したステップＳＦ１では、カテゴリ別スペースシェア分析部３０４は、棚割データベース３０１から、カテゴリ別に提案棚モデルのスペース値のデータを取得する。ステップＳＦ２では、カテゴリ別スペースシェア分析部３０４は、上記各スペース値の合計を算出する。
【００５５】
ステップＳＦ３では、カテゴリ別スペースシェア分析部３０４は、ステップＳＦ１（スペース値）およびステップＳＦ２（スペース値の合計）を受けて、カテゴリ別に実棚構成比（（スペース値／スペース値の合計）×１００）を算出する。ここで、図３に示したグラフ４０４は、カテゴリ別スペースシェア表４０３の現状棚、棚割統計値および市場構成比に対応している。
【００５６】
図１４に戻り、ステップＳＢ５では、カテゴリ別スペースシェア分析部３０４は、スペース提案値表４０５（図３参照）を生成するためのスペース提案処理（図１９参照）を実行する。
【００５７】
図１９に示したステップＳＧ１では、カテゴリ別スペースシェア分析部３０４は、スペース提案値表４０５（図３参照）の「現状」にカテゴリ別にスペース現状値を設定するためのスペース現状値設定処理（図２０参照）を実行する。
【００５８】
図２０に示したステップＳＨ１では、カテゴリ別スペースシェア分析部３０４は、棚割データベース３０１から、カテゴリ別に提案棚モデルのスペース現状値のデータを取得する。ステップＳＨ２では、カテゴリ別スペースシェア分析部３０４は、スペース提案値表４０５の「現状」に対応する部分に上記スペース現状値を設定する。
【００５９】
図１９に戻り、ステップＳＧ２では、カテゴリ別スペースシェア分析部３０４は、スペース提案値表４０５（図３参照）の「提案」に設定されるスペース提案値をカテゴリ別に算出するためのスペース提案値算出処理（図２１および図２２参照）を実行する。
【００６０】
図２１に示したステップＳＩ１では、カテゴリ別スペースシェア分析部３０４は、棚割データベース３０１から、提案棚モデルの総スペース値のデータを取得する。
【００６１】
ステップＳＩ２では、カテゴリ別スペースシェア分析部３０４は、棚割データベース３０１から、ステップＳＥ２（図１７参照）と同様にして、カテゴリ別に当該提案棚モデルが属する業態の回帰式一覧（図６３（ｄ）参照）を取得する。
【００６２】
ステップＳＩ３では、カテゴリ別スペースシェア分析部３０４は、カテゴリ別に総スペース値を各回帰式（図６３（ｄ）参照）に適用し、カテゴリ別に理想スペース値を算出する。
【００６３】
ステップＳＩ４では、カテゴリ別スペースシェア分析部３０４は、ステップＳＤ７（図１６参照）で算出されたカテゴリ別に市場成長率のデータを取得する。ステップＳＩ５では、カテゴリ別スペースシェア分析部３０４は、上記市場成長率が、「＞０」、「＝０」、「＜０」のうちいずれに該当するかを判断する。
【００６４】
市場成長率が「＞０」である場合、ステップＳＩ６では、カテゴリ別スペースシェア分析部３０４は、成長指標（図６３（ａ）参照）を１に設定する。また、市場成長率が「＝０」である場合、ステップＳＩ７では、カテゴリ別スペースシェア分析部３０４は、成長指標を０に設定する。また、市場成長率が「＜０」である場合、ステップＳＩ８では、カテゴリ別スペースシェア分析部３０４は、成長指標を−１に設定する。
【００６５】
ステップＳＩ９では、カテゴリ別スペースシェア分析部３０４は、ステップＳＥ５（図１７参照）で算出されたカテゴリ別に棚割統計値のデータを取得する。ステップＳＩ１０では、カテゴリ別スペースシェア分析部３０４は、ステップＳＦ３（図１８参照）で算出されたカテゴリ別に実棚構成比のデータを取得する。
【００６６】
ステップＳＩ１１では、カテゴリ別スペースシェア分析部３０４は、ステップＳＩ９で取得された棚割統計値と、ステップＳＩ１０で取得された実棚構成比との差分を算出する。
【００６７】
図２２に示したステップＳＩ１２では、カテゴリ別スペースシェア分析部３０４は、上記差分（棚割統計値−実棚構成比）が、「＞０」、「＝０」、「＜０」のうちいずれに該当するかを判断する。
【００６８】
差分（棚割統計値−実棚構成比）が「＞０」である場合、ステップＳＩ１３では、カテゴリ別スペースシェア分析部３０４は、構成差分を１に設定する。また、差分（棚割統計値−実棚構成比）が「＝０」である場合、ステップＳＩ１４では、カテゴリ別スペースシェア分析部３０４は、構成差分を０に設定する。また、差分（棚割統計値−実棚構成比）が「＜０」である場合、ステップＳＩ１５では、カテゴリ別スペースシェア分析部３０４は、構成差分を−１に設定する。
【００６９】
ステップＳＩ１６では、カテゴリ別スペースシェア分析部３０４は、図６３（ｃ）に示したポートフォリオＩＮＤＥＸ表における位置をカテゴリ別に確認する。この位置は、（成長指標＋１）×３＋（構成差分）＋２という式から求められる。例えば、成長指標が１、構成差分が１である場合、位置は、図６３（ｃ）に示したポートフォリオＩＮＤＥＸ表における「９」である。
【００７０】
ステップＳＩ１７では、カテゴリ別スペースシェア分析部３０４は、図６３（ｂ）に示したポートフォリオ表から、カテゴリ別に、ステップＳＩ１６で確認した位置に対応する補正値を取得する。例えば、位置が「９」である場合、補正値は、１．１である。ポートフォリオ表の横軸が上述した（棚割統計値−実棚構成比）に対応している。また、縦軸は、市場成長率に対応している。
【００７１】
ステップＳＩ１８では、カテゴリ別スペースシェア分析部３０４は、カテゴリ別に、補正理想スペース値（理想スペース値×補正値）を算出する。ステップＳＩ１９では、カテゴリ別スペースシェア分析部３０４は、補正理想スペース値の合計を算出する。ステップＳＩ２０では、カテゴリ別スペースシェア分析部３０４は、カテゴリ別に、補正理想スペース値構成比（（補正理想スペース値／補正理想スペース値の合計）×１００）を算出する。
【００７２】
ステップＳＩ２１では、カテゴリ別スペースシェア分析部３０４は、カテゴリ別にスペース提案値（総スペース値×補正理想スペース値構成比）を算出する。
【００７３】
図１９に戻り、ステップＳＧ３では、カテゴリ別スペースシェア分析部３０４は、スペース提案値表４０５（図３参照）の「差分」に設定される差分をカテゴリ別に算出するための差分算出処理（図２３参照）を実行する。
【００７４】
図２３に示したステップＳＪ１では、カテゴリ別スペースシェア分析部３０４は、ステップＳＨ２（図２０参照）で設定されたスペース現状値（図３：スペース提案値表４０５）のデータをカテゴリ別に取得する。
【００７５】
ステップＳＪ２では、カテゴリ別スペースシェア分析部３０４は、ステップＳＩ２１（図２２参照）で算出されたスペース提案値（図３：スペース提案値表４０５）のデータをカテゴリ別に取得する。ステップＳＪ３では、カテゴリ別スペースシェア分析部３０４は、カテゴリ別に、差分（スペース現状値−スペース提案値）を算出する。
【００７６】
図１４に戻り、ステップＳＢ６では、カテゴリ別スペースシェア分析部３０４は、フェース数提案値表４０６（図３参照）を生成するためのフェース数提案処理（図２４参照）を実行する。
【００７７】
図２４に示したステップＳＫ１では、カテゴリ別スペースシェア分析部３０４は、フェース数提案値表４０６（図３参照）の「現状」にカテゴリ別にフェース数現状値を設定するためのフェース数現状値設定処理（図２５参照）を実行する。
【００７８】
図２５に示したステップＳＬ１では、カテゴリ別スペースシェア分析部３０４は、棚割データベース３０１から、カテゴリ別に提案棚モデルのフェース数現状値のデータを取得する。ステップＳＬ２では、カテゴリ別スペースシェア分析部３０４は、フェース数提案値表４０６の「現状」に対応する部分に上記フェース数現状値を設定する。
【００７９】
図２４に戻り、ステップＳＫ２では、カテゴリ別スペースシェア分析部３０４は、フェース数提案値表４０６（図３参照）の「提案」に設定されるフェース数提案値をカテゴリ別に算出するためのフェース数提案値算出処理（図２６参照）を実行する。
【００８０】
図２６に示したステップＳＭ１では、カテゴリ別スペースシェア分析部３０４は、棚割データベース３０１から、カテゴリ別に提案棚モデルのスペース値のデータを取得する。ステップＳＭ２では、カテゴリ別スペースシェア分析部３０４は、棚割データベース３０１から、カテゴリ別に提案棚モデルのフェース数のデータを取得する。
【００８１】
ステップＳＭ３では、カテゴリ別スペースシェア分析部３０４は、棚割データベース３０１から、提案棚モデルの総スペース値のデータを取得する。ステップＳＭ４では、カテゴリ別スペースシェア分析部３０４は、棚割データベース３０１から、カテゴリ別に、当該提案棚モデルが属する業態の回帰式一覧（図６３（ｄ）参照）を取得する。
【００８２】
ステップＳＭ５では、カテゴリ別スペースシェア分析部３０４は、カテゴリ別に総スペース値を各回帰式（図示略）に適用し、カテゴリ別に理想スペース値を算出する。
【００８３】
ステップＳＭ６では、カテゴリ別スペースシェア分析部３０４は、ステップＳＤ７（図１６参照）で算出されたカテゴリ別に市場成長率のデータを取得する。ステップＳＭ７では、カテゴリ別スペースシェア分析部３０４は、上記市場成長率が、「＞０」、「＝０」、「＜０」のうちいずれに該当するかを判断する。
【００８４】
市場成長率が「＞０」である場合、ステップＳＭ８では、カテゴリ別スペースシェア分析部３０４は、成長指標を１に設定する。また、市場成長率が「＝０」である場合、ステップＳＭ９では、カテゴリ別スペースシェア分析部３０４は、成長指標を０に設定する。また、市場成長率が「＜０」である場合、ステップＳＭ１０では、カテゴリ別スペースシェア分析部３０４は、成長指標を−１に設定する。
【００８５】
ステップＳＭ１１では、カテゴリ別スペースシェア分析部３０４は、ステップＳＥ５（図１７参照）で算出されたカテゴリ別に棚割統計値のデータを取得する。ステップＳＭ１２では、カテゴリ別スペースシェア分析部３０４は、ステップＳＦ３（図１８参照）で算出されたカテゴリ別に実棚構成比のデータを取得する。
【００８６】
ステップＳＭ１３では、カテゴリ別スペースシェア分析部３０４は、ステップＳＭ１１で取得された棚割統計値と、ステップＳＭ１２で取得された実棚構成比との差分を算出する。
【００８７】
図２７に示したステップＳＭ１４では、カテゴリ別スペースシェア分析部３０４は、上記差分（棚割統計値−実棚構成比）が、「＞０」、「＝０」、「＜０」のうちいずれに該当するかを判断する。
【００８８】
差分（棚割統計値−実棚構成比）が「＞０」である場合、ステップＳＭ１５では、カテゴリ別スペースシェア分析部３０４は、構成差分を１に設定する。また、差分（棚割統計値−実棚構成比）が「＝０」である場合、ステップＳＭ１６では、カテゴリ別スペースシェア分析部３０４は、構成差分を０に設定する。また、差分（棚割統計値−実棚構成比）が「＜０」である場合、ステップＳＭ１７では、カテゴリ別スペースシェア分析部３０４は、構成差分を−１に設定する。
【００８９】
ステップＳＭ１８では、カテゴリ別スペースシェア分析部３０４は、図６３（ｃ）に示したポートフォリオＩＮＤＥＸ表における位置をカテゴリ別に確認する。
【００９０】
ステップＳＭ１９では、カテゴリ別スペースシェア分析部３０４は、図６３（ｂ）に示したポートフォリオ表から、カテゴリ別に、ステップＳＭ１８で確認した位置に対応する補正値を取得する。
【００９１】
ステップＳＭ２０では、カテゴリ別スペースシェア分析部３０４は、カテゴリ別に、補正理想スペース値（理想スペース値×補正値）を算出する。ステップＳＭ２１では、カテゴリ別スペースシェア分析部３０４は、補正理想スペース値の合計を算出する。ステップＳＭ２２では、カテゴリ別スペースシェア分析部３０４は、カテゴリ別に、補正理想スペース値構成比（（補正理想スペース値／補正理想スペース値の合計）×１００）を算出する。
【００９２】
ステップＳＭ２３では、カテゴリ別スペースシェア分析部３０４は、カテゴリ別に提案値（スペース値×補正理想スペース値構成比）を算出する。ステップＳＭ２４では、カテゴリ別スペースシェア分析部３０４は、カテゴリ別に単位フェース長（スペース値／フェース数）を算出する。ステップＳＭ２５では、カテゴリ別スペースシェア分析部３０４は、フェース数提案値（提案値／単位フェース長）を算出する。
【００９３】
図２４に戻り、ステップＳＫ３では、カテゴリ別スペースシェア分析部３０４は、フェース数提案値表４０６（図３参照）の「差分」に設定される差分をカテゴリ別に算出するための差分算出処理を実行する。
【００９４】
図２８に示したステップＳＮ１では、カテゴリ別スペースシェア分析部３０４は、ステップＳＬ２（図２５参照）で設定されたフェース数現状値（図３：フェース数提案値表４０６）のデータをカテゴリ別に取得する。
【００９５】
ステップＳＮ２では、カテゴリ別スペースシェア分析部３０４は、ステップＳＭ２５（図２７参照）で算出されたフェース数提案値（図３：フェース数提案値表４０６）のデータをカテゴリ別に取得する。ステップＳＮ３では、カテゴリ別スペースシェア分析部３０４は、カテゴリ別に、差分（フェース数現状値−フェース数提案値）を算出する。
【００９６】
図１３に戻り、ステップＳＡ２では、カテゴリ別アイテムシェア分析部３０５（図１参照）は、図４に示した分析結果シート４００における「２．カテゴリ別アイテムシェア」に関する分析を行うためのカテゴリ別アイテムシェア分析処理を実行する。
【００９７】
具体的には、図２９に示したステップＳＯ１では、カテゴリ別アイテムシェア分析部３０５は、カテゴリ別アイテムシェア表４０７（図４参照）の「棚割統計値」を分析するための棚割統計値分析処理（図３０参照）を実行する。
【００９８】
図３０に示したステップＳＰ１では、カテゴリ別アイテムシェア分析部３０５は、棚割データベース３０１から、カテゴリ別に、提案棚モデルのスペース値のデータを取得する。
【００９９】
ステップＳＰ２では、カテゴリ別アイテムシェア分析部３０５は、棚割データベース３０１から、カテゴリ別に、提案棚モデルのアイテム数のデータを取得する。ステップＳＰ３では、カテゴリ別アイテムシェア分析部３０５は、棚割データベース３０１から、提案棚モデルの総スペース値のデータを取得する。
【０１００】
ステップＳＰ４では、カテゴリ別アイテムシェア分析部３０５は、棚割データベース３０１から、当該提案棚モデルが属する業態の回帰式一覧（図６３（ｄ）参照）を取得する。
【０１０１】
ステップＳＰ５では、カテゴリ別アイテムシェア分析部３０５は、カテゴリ別に総スペース値を各回帰式（図６３（ｄ）参照）に適用し、カテゴリ別に理想スペース値を算出する。
【０１０２】
ステップＳＰ６では、カテゴリ別アイテムシェア分析部３０５は、ステップＳＰ１（スペース値）およびステップＳＰ２（アイテム数）を受けて、カテゴリ別に単位アイテム長（スペース値／アイテム数）を算出する。
【０１０３】
ステップＳＰ７では、カテゴリ別アイテムシェア分析部３０５は、ステップＳＰ５（理想スペース値）およびステップＳＰ６（単位アイテム長）を受けて、カテゴリ別に理想アイテム数（理想スペース値／単位アイテム長）を算出する。
【０１０４】
ステップＳＰ８では、カテゴリ別アイテムシェア分析部３０５は、ステップＳＰ７で算出された理想アイテム数の合計を算出する。ステップＳＰ９では、カテゴリ別アイテムシェア分析部３０５は、ステップＳＰ７（理想アイテム数）およびステップＳＰ８（理想アイテム数の合計）を受けて、理想アイテム数の構成比、すなわち、棚割統計値（（理想アイテム数／理想アイテム数の合計）×１００）を算出する。
【０１０５】
図２９に戻り、ステップＳＯ２では、カテゴリ別アイテムシェア分析部３０５は、カテゴリ別アイテムシェア表４０７（図４参照）の「現状棚」を分析するための現状棚分析処理（図３１参照）を実行する。
【０１０６】
図３１に示したステップＳＱ１では、カテゴリ別アイテムシェア分析部３０５は、棚割データベース３０１から、カテゴリ別に提案棚モデルのアイテム数のデータを取得する。ステップＳＱ２では、カテゴリ別アイテムシェア分析部３０５は、上記各アイテム数の合計を算出する。
【０１０７】
ステップＳＱ３では、カテゴリ別アイテムシェア分析部３０５は、ステップＳＱ１（アイテム数）およびステップＳＱ２（アイテム数の合計）を受けて、カテゴリ別に実棚構成比（（アイテム数／アイテム数の合計）×１００）を算出する。ここで、図４に示したグラフ４０８は、カテゴリ別アイテムシェア表４０７の現状棚および棚割統計値に対応している。
【０１０８】
図２９に戻り、ステップＳＯ３では、カテゴリ別アイテムシェア分析部３０５は、アイテム数提案値表４０９（図４参照）を生成するためのアイテム数提案処理（図３２参照）を実行する。
【０１０９】
図３２に示したステップＳＲ１では、カテゴリ別アイテムシェア分析部３０５は、アイテム数提案値表４０９（図４参照）の「現状」にカテゴリ別にアイテム数現状値を設定するためのアイテム数現状値設定処理（図３３参照）を実行する。
【０１１０】
図３３に示したステップＳＳ１では、カテゴリ別アイテムシェア分析部３０５は、棚割データベース３０１から、カテゴリ別に提案棚モデルのアイテム数現状値のデータを取得する。ステップＳＳ２では、カテゴリ別アイテムシェア分析部３０５は、アイテム数提案値表４０９の「現状」に対応する部分に上記アイテム数現状値を設定する。
【０１１１】
図３２に戻り、ステップＳＲ２では、カテゴリ別アイテムシェア分析部３０５は、アイテム数提案値表４０９（図４参照）の「提案」に設定されるアイテム数提案値をカテゴリ別に算出するためのアイテム数提案値算出処理（図３４参照）を実行する。
【０１１２】
図３４に示したスップＳＴ１では、カテゴリ別アイテムシェア分析部３０５は、棚割データベース３０１から、カテゴリ別に、提案棚モデルのスペース値のデータを取得する。ステップＳＴ２では、カテゴリ別アイテムシェア分析部３０５は、棚割データベース３０１から、カテゴリ別に、提案棚モデルのアイテム数のデータを取得する。
【０１１３】
ステップＳＴ３では、カテゴリ別アイテムシェア分析部３０５は、棚割データベース３０１から、提案棚モデルの総スペース値のデータを取得する。
【０１１４】
ステップＳＴ４では、カテゴリ別アイテムシェア分析部３０５は、棚割データベース３０１から、ステップＳＰ４（図３０参照）と同様にして、当該提案棚モデルが属する業態の回帰式一覧（図６３（ｄ）参照）を取得する。
【０１１５】
ステップＳＴ５では、カテゴリ別アイテムシェア分析部３０５は、カテゴリ別に総スペース値を各回帰式（図６３（ｄ）参照）に適用し、カテゴリ別に理想スペース値を算出する。
【０１１６】
ステップＳＴ６では、カテゴリ別アイテムシェア分析部３０５は、ステップＳＤ７（図１６参照）で算出されたカテゴリ別に市場成長率のデータを取得する。ステップＳＴ７では、カテゴリ別アイテムシェア分析部３０５は、上記市場成長率が、「＞０」、「＝０」、「＜０」のうちいずれに該当するかを判断する。
【０１１７】
市場成長率が「＞０」である場合、ステップＳＴ８では、カテゴリ別アイテムシェア分析部３０５は、成長指標を１に設定する。また、市場成長率が「＝０」である場合、ステップＳＴ９では、カテゴリ別アイテムシェア分析部３０５は、成長指標を０に設定する。また、市場成長率が「＜０」である場合、ステップＳＴ１０では、カテゴリ別アイテムシェア分析部３０５は、成長指標を−１に設定する。
【０１１８】
ステップＳＴ１１では、カテゴリ別アイテムシェア分析部３０５は、ステップＳＰ９（図３０参照）で算出されたカテゴリ別に棚割統計値のデータを取得する。ステップＳＴ１２では、カテゴリ別アイテムシェア分析部３０５は、ステップＳＱ３（図３１参照）で算出されたカテゴリ別に実棚構成比のデータを取得する。
【０１１９】
ステップＳＴ１３では、カテゴリ別アイテムシェア分析部３０５は、ステップＳＴ１１で取得された棚割統計値と、ステップＳＴ１２で取得された実棚構成比との差分を算出する。
【０１２０】
図３５に示したステップＳＴ１４では、カテゴリ別アイテムシェア分析部３０５は、上記差分（棚割統計値−実棚構成比）が、「＞０」、「＝０」、「＜０」のうちいずれに該当するかを判断する。
【０１２１】
差分（棚割統計値−実棚構成比）が「＞０」である場合、ステップＳＴ１５では、カテゴリ別アイテムシェア分析部３０５は、構成差分を１に設定する。また、差分（棚割統計値−実棚構成比）が「＝０」である場合、ステップＳＴ１６では、カテゴリ別アイテムシェア分析部３０５は、構成差分を０に設定する。また、差分（棚割統計値−実棚構成比）が「＜０」である場合、ステップＳＴ１７では、カテゴリ別アイテムシェア分析部３０５は、構成差分を−１に設定する。
【０１２２】
ステップＳＴ１８では、カテゴリ別アイテムシェア分析部３０５は、図６３（ｃ）に示したポートフォリオＩＮＤＥＸ表における位置をカテゴリ別に確認する。ステップＳＴ１９では、カテゴリ別アイテムシェア分析部３０５は、図６３（ｂ）に示したポートフォリオ表から、カテゴリ別に、ステップＳＴ１８で確認した位置に対応する補正値を取得する。
【０１２３】
ステップＳＴ２０では、カテゴリ別アイテムシェア分析部３０５は、カテゴリ別に、補正理想スペース値（理想スペース値×補正値）を算出する。ステップＳＴ２１では、カテゴリ別アイテムシェア分析部３０５は、補正理想スペース値の合計を算出する。ステップＳＴ２２では、カテゴリ別アイテムシェア分析部３０５は、カテゴリ別に、補正理想スペース値構成比（（補正理想スペース値／補正理想スペース値の合計）×１００）を算出する。
【０１２４】
ステップＳＴ２３では、カテゴリ別アイテムシェア分析部３０５は、カテゴリ別に提案値（スペース値×補正理想スペース値構成比）を算出する。ステップＳＴ２４では、カテゴリ別アイテムシェア分析部３０５は、単位アイテム長（スペース値／アイテム数）を算出する。ステップＳＴ２５では、カテゴリ別アイテムシェア分析部３０５は、アイテム数提案値（提案値／単位アイテム長）を算出する。
【０１２５】
図３２に戻り、ステップＳＲ３では、カテゴリ別アイテムシェア分析部３０５は、アイテム数提案値表４０９（図４参照）の「差分」に設定される差分をカテゴリ別に算出するための差分算出処理（図３６参照）を実行する。
【０１２６】
図３６に示したステップＳＵ１では、カテゴリ別アイテムシェア分析部３０５は、ステップＳＳ２（図３３参照）で設定されたアイテム数現状値（図４：アイテム数提案値表４０９）のデータをカテゴリ別に取得する。
【０１２７】
ステップＳＵ２では、カテゴリ別アイテムシェア分析部３０５は、ステップＳＴ２５（図３５参照）で算出されたアイテム数提案値（図４：アイテム数提案値表４０９）のデータをカテゴリ別に取得する。ステップＳＵ３では、カテゴリ別アイテムシェア分析部３０５は、カテゴリ別に、差分（アイテム数現状値−アイテム数提案値）を算出する。
【０１２８】
図１３に戻り、ステップＳＡ３では、スペース分布図生成部３０６は、図５および図６に示した分析結果シート４００における「３．総スペースにおけるカテゴリ分布」に関するカテゴリ別スペース分布図４１０〜４１５を生成するためのカテゴリ別スペース分布図生成処理（図３７参照）を実行する。
【０１２９】
具体的には、図３７に示したステップＳＶ１では、スペース分布図生成部３０６は、棚割データベース３０１から、業態別に、各棚モデルの総スペース値のデータを取得する。ステップＳＶ２では、スペース分布図生成部３０６は、棚割データベース３０１からカテゴリ別業態毎に、各棚モデルのスペース値のデータを取得する。
【０１３０】
ステップＳＶ３では、スペース分布図生成部３０６は、ステップＳＶ１（総スペース値）およびステップＳＶ２（スペース値）を受けて、図５および図６に示したように、総スペースをＸ座標、スペース値をＹ座標として、カテゴリ別スペース分布図４１０〜４１５を生成する。
【０１３１】
ステップＳＶ４では、スペース分布図生成部３０６は、カテゴリ別スペース分布図４１０〜４１５のそれぞれに、線形近似線および対数近似線を描写する。ステップＳＶ５では、スペース分布図生成部３０６は、線形近似線から線形回帰式を求め、寄与率をａＲ２とする。
【０１３２】
ステップＳＶ６では、スペース分布図生成部３０６は、対数近似線から対数回帰式を求め、寄与率をｂＲ２とする。ステップＳＶ７では、スペース分布図生成部３０６は、線形回帰式の寄与率ａＲ２が対数回帰式の寄与率ｂＲ２よりも大きいか否かを判断する。
【０１３３】
ステップＳＶ７の判断結果が「Ｙｅｓ」である場合、ステップＳＶ８では、スペース分布図生成部３０６は、線形回帰式を採用する。一方、ステップＳＶ７の判断結果が「Ｎｏ」である場合、ステップＳＶ９では、スペース分布図生成部３０６は、対数回帰式を採用する。
【０１３４】
ステップＳＶ１０では、スペース分布図生成部３０６は、ステップＳＶ８またはステップＳＶ９で採用された回帰式（線形回帰式または対数回帰式）のｘ（図６３（ｄ）参照）に、棚提案モデルの総スペース値を適用して、理想スペース値を算出する。ステップＳＶ１１では、スペース分布図生成部３０６は、各カテゴリ別スペース分布図に理想スペースをプロットする。
【０１３５】
図１３に戻り、ステップＳＡ４では、サブカテゴリ別スペースシェア分析部３０７（図１参照）は、図７および図８に示した分析結果シート４００における「４．サブカテゴリ別スペースシェア」に関する分析を行うためのサブカテゴリ別スペースシェア分析処理（図３８参照）を実行する。
【０１３６】
具体的には、図３８に示したステップＳＷ１では、サブカテゴリ別スペースシェア分析部３０７は、図７に示したサブカテゴリ別スペースシェア表４１６の「市場構成比」を分析するための市場構成比分析処理（図３９参照）を実行する。
【０１３７】
図３９に示したステップＳＸ１では、サブカテゴリ別スペースシェア分析部３０７は、市場ＰＯＳデータベース３０２から、サブカテゴリ別に地域・業態毎の販売数および販売額のデータ（今期のみ）を取得する。
【０１３８】
ステップＳＸ２では、サブカテゴリ別スペースシェア分析部３０７は、市場ＰＯＳデータベース３０２から、カテゴリ別に地域・業態毎の販売数および販売額のデータ（今期のみ）を取得する。
【０１３９】
ステップＳＸ３では、サブカテゴリ別スペースシェア分析部３０７は、ステップＳＸ１（サブカテゴリの販売数）およびステップＳＸ２（カテゴリの販売数）を受けて、サブカテゴリ別に販売数構成比（（サブカテゴリの販売数／カテゴリの販売数）×１００）を算出する。
【０１４０】
ステップＳＸ４では、サブカテゴリ別スペースシェア分析部３０７は、ステップＳＸ１（サブカテゴリの販売額）およびステップＳＸ２（カテゴリの販売額）を受けて、サブカテゴリ別に販売額構成比（（サブカテゴリの販売額／カテゴリの販売額）×１００）を算出する。
【０１４１】
ステップＳＸ５では、サブカテゴリ別スペースシェア分析部３０７は、ステップＳＸ３（販売数構成比）およびステップＳＸ４（販売額構成比）を受けて、サブカテゴリ別に、市場構成比（（販売数構成比＋販売額構成比）／２）を算出する。
【０１４２】
図３８に戻り、ステップＳＷ２では、サブカテゴリ別スペースシェア分析部３０７は、サブカテゴリ別スペースシェア表４１６（図７参照）の「市場成長率」を分析するための市場成長率分析処理（図４０参照）を実行する。
【０１４３】
図４０に示したステップＳＹ１では、サブカテゴリ別スペースシェア分析部３０７は、市場ＰＯＳデータベース３０２から、サブカテゴリ別に業態毎の販売数および販売額のデータ（前期および今期）を取得する。
【０１４４】
ステップＳＹ２では、サブカテゴリ別スペースシェア分析部３０７は、市場ＰＯＳデータベース３０２からカテゴリ別に業態毎の販売数および販売額のデータ（前期および今期）を取得する。ステップＳＹ３では、サブカテゴリ別スペースシェア分析部３０７は、ステップＳＹ１（サブカテゴリの販売数）およびステップＳＹ２（カテゴリの販売数）を受けて、サブカテゴリ別に販売数構成比（（サブカテゴリの販売数／カテゴリの販売数）×１００）を前期および今期のそれぞれについて算出する。
【０１４５】
ステップＳＹ４では、サブカテゴリ別スペースシェア分析部３０７は、ステップＳＹ１（サブカテゴリの販売額）およびステップＳＹ２（カテゴリの販売額）を受けて、サブカテゴリ別に販売額構成比（（サブカテゴリの販売額／カテゴリの販売額）×１００）を前期および今期のそれぞれについて算出する。
【０１４６】
ステップＳＹ５では、サブカテゴリ別スペースシェア分析部３０７は、ステップＳＹ３（前期の販売数構成比）およびステップＳＹ４（前期の販売額構成比）を受けて、サブカテゴリ別に前期構成比（（前期の販売数構成比＋前期の販売額構成比）／２）を算出する。
【０１４７】
ステップＳＹ６では、サブカテゴリ別スペースシェア分析部３０７は、ステップＳＹ３（今期の販売数構成比）およびステップＳＹ４（今期の販売額構成比）を受けて、サブカテゴリ別に今期構成比（（今期の販売数構成比＋今期の販売額構成比）／２）を算出する。
【０１４８】
ステップＳＹ７では、サブカテゴリ別スペースシェア分析部３０７は、ステップＳＹ５（前期構成比）およびステップＳＹ６（今期構成比）を受けて、サブカテゴリ別に市場成長率（（今期構成比／前期構成比）×１００）を算出する。
【０１４９】
図３８に戻り、ステップＳＷ３では、サブカテゴリ別スペースシェア分析部３０７は、サブカテゴリ別スペースシェア表４１６（図７参照）の「棚割統計値」を分析するための棚割統計値分析処理（図４１参照）を実行する。
【０１５０】
図４１に示したステップＳＺ１では、サブカテゴリ別スペースシェア分析部３０７は、棚割データベース３０１から、サブカテゴリ別に、業態毎のスペース集計値のデータを取得する。
【０１５１】
ステップＳＺ２では、サブカテゴリ別スペースシェア分析部３０７は、カテゴリ別に、業態毎のスペース集計値を合計する。ステップＳＺ３では、サブカテゴリ別スペースシェア分析部３０７は、サブカテゴリ別に、ステップＳＺ１（スペース集計値）およびステップＳＺ２（スペース集計値の合計）を受けて、棚割統計値（（スペース集計値／スペース集計値の合計）×１００）を算出する。
【０１５２】
図３８に戻り、ステップＳＷ４では、サブカテゴリ別スペースシェア分析部３０７は、サブカテゴリ別スペースシェア表４１６（図７参照）の「現状棚」を分析するための現状棚分析処理（図４２参照）を実行する。
【０１５３】
図４２に示したステップＳＳＡ１では、サブカテゴリ別スペースシェア分析部３０７は、棚割データベース３０１から、サブカテゴリ別に提案棚モデルのスペース値のデータを取得する。ステップＳＳＡ２では、サブカテゴリ別スペースシェア分析部３０７は、上記各スペース値の合計を算出する。
【０１５４】
ステップＳＳＡ３では、サブカテゴリ別スペースシェア分析部３０７は、ステップＳＳＡ１（サブカテゴリのスペース値）およびステップＳＳＡ２（スペース値の合計）を受けて、サブカテゴリ別に実棚構成比（（サブカテゴリのスペース値／スペース値の合計）×１００）を算出する。ここで、図８に示したグラフ４１７〜４２２は、サブカテゴリ別スペースシェア表４１６の現状棚、棚割統計値および市場構成比に対応している。
【０１５５】
図３８に戻り、ステップＳＷ５では、サブカテゴリ別スペースシェア分析部３０７は、サブカテゴリ別スペースシェア表４１６（図７参照）の「拡大示唆フラグ」を設定するための拡大示唆フラグ設定処理（図４３参照）を実行する。
【０１５６】
図４３に示したステップＳＳＢ１では、サブカテゴリ別スペースシェア分析部３０７は、ステップＳＹ７（図４０参照）で算出されたサブカテゴリ別の市場成長率のデータを取得する。ステップＳＳＢ２では、サブカテゴリ別スペースシェア分析部３０７は、ステップＳＺ３（図４１参照）で算出されたサブカテゴリ別の棚割統計値のデータを取得する。
【０１５７】
ステップＳＳＢ３では、サブカテゴリ別スペースシェア分析部３０７は、ステップＳＳＡ３（図４２参照）で算出されたサブカテゴリ別の実棚構成比のデータを取得する。ステップＳＳＢ４では、サブカテゴリ別スペースシェア分析部３０７は、（市場成長率＞１００）かつ（棚割統計値≧実棚構成比）、または（市場成長率≧１００）かつ（棚割統計値＞実棚構成比）のうちいずれかの条件を満たしているか否かをサブカテゴリ別に判断する。
【０１５８】
ステップＳＳＢ４の判断結果が「Ｙｅｓ」である場合、ステップＳＳＢ５では、サブカテゴリ別スペースシェア分析部３０７は、サブカテゴリ別スペースシェア表４１６（図７参照）の「拡大示唆フラグ」に「○」を設定する。一方、ステップＳＳＢ４の判断結果が「Ｎｏ」である場合、「拡大示唆フラグ」にいずれのフラグも設定されない。
【０１５９】
図１３に戻り、ステップＳＡ５では、価格帯別スペースシェア分析部３０８（図１参照）は、図９に示した分析結果シート４００における「５．ハブラシ価格帯別スペースシェア」に関する分析を行うためのハブラシ価格帯別スペースシェア分析処理を実行する。
【０１６０】
具体的には、図４４に示したステップＳＳＣ１では、価格帯別スペースシェア分析部３０８は、図９に示したハブラシ価格帯別スペースシェア表４２３の「市場構成比」を分析するための市場構成比分析処理（図４５参照）を実行する。
【０１６１】
図４５に示したステップＳＳＤ１では、価格帯別スペースシェア分析部３０８は、市場ＰＯＳデータベース３０２から、価格帯別に地域・業態毎の販売数および販売額のデータ（今期のみ）を取得する。
【０１６２】
ステップＳＳＤ２では、価格帯別スペースシェア分析部３０８は、地域・業態別の販売数の合計および販売額の合計を算出する。ステップＳＳＤ３では、価格帯別スペースシェア分析部３０８は、ステップＳＳＤ１（販売数）およびステップＳＳＤ２（販売数の合計）を受けて、価格帯別に販売数構成比（（販売数／販売数の合計）×１００）を算出する。
【０１６３】
ステップＳＳＤ４では、価格帯別スペースシェア分析部３０８は、ステップＳＳＤ１（販売額）およびステップＳＳＤ２（販売額の合計）を受けて、価格帯別に販売額構成比（（販売額／販売額の合計）×１００）を算出する。
【０１６４】
ステップＳＳＤ５では、価格帯別スペースシェア分析部３０８は、ステップＳＳＤ３（販売数構成比）およびステップＳＳＤ４（販売額構成比）を受けて、価格帯別に、市場構成比（（販売数構成比＋販売額構成比）／２）を算出する。
【０１６５】
図４４に戻り、ステップＳＳＣ２では、価格帯別スペースシェア分析部３０８は、ハブラシ価格帯別スペースシェア表４２３（図９参照）の「市場成長率」を分析するための市場成長率分析処理（図４６参照）を実行する。
【０１６６】
図４６に示したステップＳＳＥ１では、価格帯別スペースシェア分析部３０８は、市場ＰＯＳデータベース３０２から、価格帯別に業態毎の販売数および販売額のデータ（前期および今期）を取得する。
【０１６７】
ステップＳＳＥ２では、価格帯別スペースシェア分析部３０８は、業態毎の販売数の合計および販売額の合計（前期および今期）を算出する。ステップＳＳＥ３では、価格帯別スペースシェア分析部３０８は、ステップＳＳＥ１（販売数）およびステップＳＳＥ２（販売数の合計）を受けて、価格帯別に販売数構成比（（販売数／販売数の合計）×１００）を前期および今期のそれぞれについて算出する。
【０１６８】
ステップＳＳＥ４では、価格帯別スペースシェア分析部３０８は、ステップＳＳＥ１（販売額）およびステップＳＳＥ２（販売額の合計）を受けて、価格帯別に販売額構成比（（販売額／販売額の合計）×１００）を前期および今期のそれぞれについて算出する。
【０１６９】
ステップＳＳＥ５では、価格帯別スペースシェア分析部３０８は、ステップＳＳＥ３（前期の販売数構成比）およびステップＳＳＥ４（前期の販売額構成比）を受けて、価格帯別に前期構成比（（前期の販売数構成比＋前期の販売額構成比）／２）を算出する。
【０１７０】
ステップＳＳＥ６では、価格帯別スペースシェア分析部３０８は、ステップＳＳＥ３（今期の販売数構成比）およびステップＳＳＥ４（今期の販売額構成比）を受けて、価格帯別に今期構成比（（今期の販売数構成比＋今期の販売額構成比）／２）を算出する。
【０１７１】
ステップＳＳＥ７では、価格帯別スペースシェア分析部３０８は、ステップＳＳＥ５（前期構成比）およびステップＳＳＥ６（今期構成比）を受けて、価格帯別に市場成長率（（今期構成比／前期構成比）×１００）を算出する。
【０１７２】
図４４に戻り、ステップＳＳＣ３では、価格帯別スペースシェア分析部３０８は、ハブラシ価格帯別スペースシェア表４２３（図９参照）の「棚割統計値」を分析するための棚割統計値分析処理（図４７参照）を実行する。
【０１７３】
図４７に示したステップＳＳＦ１では、価格帯別スペースシェア分析部３０８は、棚割データベース３０１から、価格帯別に、業態毎のスペース集計値のデータを取得する。
【０１７４】
ステップＳＳＦ２では、価格帯別スペースシェア分析部３０８は、価格帯別に、業態毎のスペース集計値を合計する。ステップＳＳＦ３では、価格帯別スペースシェア分析部３０８は、価格帯別に、ステップＳＳＦ１（スペース集計値）およびステップＳＳＦ２（スペース集計値の合計）を受けて、棚割統計値（（スペース集計値／スペース集計値の合計×１００）を算出する。
【０１７５】
図４４に戻り、ステップＳＳＣ４では、価格帯別スペースシェア分析部３０８は、ハブラシ価格帯別スペースシェア表４２３（図９参照）の「現状棚」を分析するための現状棚分析処理（図４８参照）を実行する。
【０１７６】
図４８に示したステップＳＳＧ１では、価格帯別スペースシェア分析部３０８は、棚割データベース３０１から、価格帯別に提案棚モデルのスペース値のデータを取得する。ステップＳＳＧ２では、価格帯別スペースシェア分析部３０８は、上記各スペース値の合計を算出する。
【０１７７】
ステップＳＳＧ３では、価格帯別スペースシェア分析部３０８は、ステップＳＳＧ１（スペース値）およびステップＳＳＧ２（スペース値の合計）を受けて、価格帯別に実棚構成比（（スペース値／スペース値の合計）×１００）を算出する。ここで、図９に示したグラフ４２４は、ハブラシ価格帯別スペースシェア表４２３の現状棚、棚割統計値および市場構成比に対応している。
【０１７８】
図４４に戻り、ステップＳＳＣ５では、価格帯別スペースシェア分析部３０８は、ハブラシ価格帯別スペースシェア表４２３（図９参照）の「拡大示唆フラグ」を設定するための拡大示唆フラグ設定処理（図４９参照）を実行する。
【０１７９】
図４９に示したステップＳＳＨ１では、価格帯別スペースシェア分析部３０８は、ステップＳＳＥ７（図４６参照）で算出された価格帯別の市場成長率のデータを取得する。ステップＳＳＨ２では、価格帯別スペースシェア分析部３０８は、ステップＳＳＦ３（図４７参照）で算出された価格帯別の棚割統計値のデータを取得する。
【０１８０】
ステップＳＳＨ３では、価格帯別スペースシェア分析部３０８は、ステップＳＳＧ３（図４８参照）で算出された価格帯別の実棚構成比のデータを取得する。ステップＳＳＨ４では、価格帯別スペースシェア分析部３０８は、（市場成長率＞１００）かつ（棚割統計値≧実棚構成比）、または（市場成長率≧１００）かつ（棚割統計値＞実棚構成比）のうちいずれかの条件を満たしているか否かを価格帯別に判断する。
【０１８１】
ステップＳＳＨ４の判断結果が「Ｙｅｓ」である場合、ステップＳＳＨ５では、価格帯別スペースシェア分析部３０８は、ハブラシ価格帯別スペースシェア表４２３（図９参照）の「拡大示唆フラグ」に「○」を設定する。一方、ステップＳＳＨ４の判断結果が「Ｎｏ」である場合、「拡大示唆フラグ」にいずれのフラグも設定されない。
【０１８２】
図１３に戻り、ステップＳＡ６では、カテゴリ別メーカシェア分析部３０９（図１参照）は、図１０に示した分析結果シート４００における「６．カテゴリ別メーカシェア」に関する分析を行うためのカテゴリ別メーカシェア分析処理を実行する。
【０１８３】
具体的には、図５０に示したステップＳＳＩ１では、カテゴリ別メーカシェア分析部３０９は、図１０に示したカテゴリ別メーカシェア表４２５の「市場構成比」を分析するための市場構成比分析処理（図５１参照）を実行する。
【０１８４】
図５１に示したステップＳＳＪ１では、カテゴリ別メーカシェア分析部３０９は、市場ＰＯＳデータベース３０２から、カテゴリ・メーカ別に地域・業態毎の販売数および販売額のデータ（今期のみ）を取得する。
【０１８５】
ステップＳＳＪ２では、カテゴリ別メーカシェア分析部３０９は、地域・業態毎の販売数の合計および販売額の合計を算出する。ステップＳＳＪ３では、カテゴリ別メーカシェア分析部３０９は、ステップＳＳＪ１（販売数）およびステップＳＳＪ２（販売数の合計）を受けて、カテゴリ・メーカ別に販売数構成比（（販売数／販売数の合計）×１００）を算出する。
【０１８６】
ステップＳＳＪ４では、カテゴリ別メーカシェア分析部３０９は、ステップＳＳＪ１（販売額）およびステップＳＳＪ２（販売額の合計）を受けて、カテゴリ・メーカ別に販売額構成比（（販売額／販売額の合計）×１００）を算出する。
【０１８７】
ステップＳＳＪ５では、カテゴリ別メーカシェア分析部３０９は、ステップＳＳＪ３（販売数構成比）およびステップＳＳＪ４（販売額構成比）を受けて、カテゴリ・メーカ別に、市場構成比（（販売数構成比＋販売額構成比）／２）を算出する。
【０１８８】
図５０に戻り、ステップＳＳＩ２では、カテゴリ別メーカシェア分析部３０９は、カテゴリ別メーカシェア表４２５（図１０参照）の「売場平均」を分析するための売場平均分析処理（図５２参照）を実行する。
【０１８９】
図５２に示したステップＳＳＫ１では、カテゴリ別メーカシェア分析部３０９は、カテゴリ別メーカシェア表４２５（図１０参照）の「売場平均」の「フェース構成比」（前期および今期）を分析するためのフェース構成比分析処理（図５３参照）を実行する。
【０１９０】
図５３に示したステップＳＳＬ１では、カテゴリ別メーカシェア分析部３０９は、棚割データベース３０１を参照して、カテゴリ別に棚モデル毎の総フェース数を算出する。ステップＳＳＬ２では、カテゴリ別メーカシェア分析部３０９は、棚割データベース３０１を参照して、カテゴリ・メーカ別に棚モデル毎のフェース数を算出する。
【０１９１】
ステップＳＳＬ３では、カテゴリ別メーカシェア分析部３０９は、ステップＳＳＬ１（総フェース数）およびステップＳＳＬ２（フェース数）を受けて、棚モデル毎のフェース構成比（フェース数／総フェース数）を算出する。
【０１９２】
ステップＳＳＬ４では、カテゴリ別メーカシェア分析部３０９は、業態毎にフェース構成比を合計する。ステップＳＳＬ５では、カテゴリ別メーカシェア分析部３０９は、業態毎に棚モデル数を算出する。ステップＳＳＬ６では、カテゴリ別メーカシェア分析部３０９は、業態別にフェース構成比（フェース構成比の合計／棚モデル数）を前期および今期のそれぞれについて算出する。
【０１９３】
図５２に戻り、ステップＳＳＫ２では、カテゴリ別メーカシェア分析部３０９は、カテゴリ別メーカシェア表４２５（図１０参照）の「売場平均」の「スペース構成比」（前期および今期）を分析するためのスペース構成比分析処理（図５４参照）を実行する。
【０１９４】
図５４に示したステップＳＳＭ１では、カテゴリ別メーカシェア分析部３０９は、棚割データベース３０１を参照して、カテゴリ・メーカ別に棚モデル毎の総スペース数を算出する。ステップＳＳＭ２では、カテゴリ別メーカシェア分析部３０９は、棚割データベース３０１を参照して、カテゴリ・メーカ別に棚モデル毎のスペース数を算出する。
【０１９５】
ステップＳＳＭ３では、カテゴリ別メーカシェア分析部３０９は、ステップＳＳＭ１（総スペース数）およびステップＳＳＭ２（スペース数）を受けて、棚モデル毎のスペース構成比（スペース数／総スペース数）を算出する。
【０１９６】
ステップＳＳＭ４では、カテゴリ別メーカシェア分析部３０９は、業態毎にスペース構成比を合計する。ステップＳＳＭ５では、カテゴリ別メーカシェア分析部３０９は、業態毎に棚モデル数を算出する。ステップＳＳＭ６では、カテゴリ別メーカシェア分析部３０９は、業態別にスペース構成比（スペース構成比の合計／棚モデル数）を前期および今期のそれぞれについて算出する。
【０１９７】
図５２に戻り、ステップＳＳＫ３では、カテゴリ別メーカシェア分析部３０９は、カテゴリ別メーカシェア表４２５（図１０参照）の「売場平均」の「アイテム構成比」（前期および今期）を分析するためのアイテム構成比分析処理（図５５参照）を実行する。
【０１９８】
図５５に示したステップＳＳＮ１では、カテゴリ別メーカシェア分析部３０９は、棚割データベース３０１を参照して、カテゴリ別に棚モデル毎の総アイテム数を算出する。ステップＳＳＮ２では、カテゴリ別メーカシェア分析部３０９は、棚割データベース３０１を参照して、カテゴリ・メーカ別に棚モデル毎のアイテム数を算出する。
【０１９９】
ステップＳＳＮ３では、カテゴリ別メーカシェア分析部３０９は、ステップＳＳＮ１（総アイテム数）およびステップＳＳＮ２（アイテム数）を受けて、棚モデル毎のアイテム構成比（アイテム数／総アイテム数）を算出する。
【０２００】
ステップＳＳＮ４では、カテゴリ別メーカシェア分析部３０９は、業態毎にアイテム構成比を合計する。ステップＳＳＮ５では、カテゴリ別メーカシェア分析部３０９は、業態毎に棚モデル数を算出する。ステップＳＳＮ６では、カテゴリ別メーカシェア分析部３０９は、業態毎にアイテム構成比（アイテム構成比の合計／棚モデル数）を前期および今期のそれぞれについて算出する。
【０２０１】
図５０に戻り、ステップＳＳＩ３では、カテゴリ別メーカシェア分析部３０９は、カテゴリ別メーカシェア表４２５（図１０参照）の「現状棚」を分析するための現状棚分析処理（図５６参照）を実行する。
【０２０２】
図５６に示したステップＳＳＯ１では、カテゴリ別メーカシェア分析部３０９は、カテゴリ別メーカシェア表４２５（図１０参照）の「現状棚」の「フェース数」、対応する「構成比」（前期および今期）を分析するための現状棚フェース数分析処理（図５７参照）を実行する。
【０２０３】
図５７に示したステップＳＳＰ１では、カテゴリ別メーカシェア分析部３０９は、棚割データベース３０１を参照して、カテゴリ・メーカ別に提案棚モデルのフェース数のデータを前期および今期のそれぞれについて取得する。ステップＳＳＰ２では、カテゴリ別メーカシェア分析部３０９は、カテゴリ・メーカ別に提案棚モデルのフェース数を合計する。
【０２０４】
ステップＳＳＰ３では、カテゴリ別メーカシェア分析部３０９は、ステップＳＳＰ１（フェース数）およびステップＳＳＰ２（フェース数の合計）を受けて、フェース数の構成比（フェース数／フェース数の合計）を前期および今期のそれぞれについて算出する。
【０２０５】
図５６に戻り、ステップＳＳＯ２では、カテゴリ別メーカシェア分析部３０９は、カテゴリ別メーカシェア表４２５（図１０参照）の「現状棚」の「スペース値」、対応する「構成比」（前期および今期）を分析するための現状棚スペース分析処理（図５８参照）を実行する。
【０２０６】
図５８に示したステップＳＳＱ１では、カテゴリ別メーカシェア分析部３０９は、棚割データベース３０１を参照して、カテゴリ・メーカ別に提案棚モデルのスペース値のデータを前期および今期のそれぞれについて取得する。ステップＳＳＱ２では、カテゴリ別メーカシェア分析部３０９は、カテゴリ・メーカ別に提案棚モデルのスペース値を合計する。
【０２０７】
ステップＳＳＱ３では、カテゴリ別メーカシェア分析部３０９は、ステップＳＳＱ１（スペース値）およびステップＳＳＱ２（スペース値の合計）を受けて、スペース値の構成比（スペース値／スペース値の合計）を前期および今期のそれぞれについて算出する。
【０２０８】
図５６に戻り、ステップＳＳＯ３では、カテゴリ別メーカシェア分析部３０９は、カテゴリ別メーカシェア表４２５（図１０参照）の「現状棚」の「アイテム数」、対応する「構成比」（前期および今期）を分析するための現状棚アイテム数分析処理（図５９参照）を実行する。
【０２０９】
図５９に示したステップＳＳＲ１では、カテゴリ別メーカシェア分析部３０９は、棚割データベース３０１を参照して、カテゴリ・メーカ別に提案棚モデルのアイテム数のデータを前期および今期のそれぞれについて取得する。ステップＳＳＲ２では、カテゴリ別メーカシェア分析部３０９は、カテゴリ・メーカ別に提案棚モデルのアイテム数を合計する。
【０２１０】
ステップＳＳＲ３では、カテゴリ別メーカシェア分析部３０９は、ステップＳＳＲ１（アイテム数）およびステップＳＳＲ２（アイテム数の合計）を受けて、アイテム数の構成比（アイテム数／アイテム数の合計）を前期および今期のそれぞれについて算出する。
【０２１１】
図１３に戻り、ステップＳＡ７では、自社アイテム分析部３１０（図１参照）は、図１１に示した分析結果シート４００における「７．現状棚カテゴリ別自社アイテム取り扱い」に関する分析を行うための現状棚カテゴリ別自社アイテム取り扱い分析処理を実行する。
【０２１２】
具体的には、図６０に示したステップＳＳＳ１では、自社アイテム分析部３１０は、棚割データベース３０１を参照して、カテゴリ別に自社のアイテム数を前期および今期のそれぞれについて算出する。ステップＳＳＳ２では、自社アイテム分析部３１０は、自社のアイテム数を合計し、図１１に示した現状棚カテゴリ別自社アイテム取り扱い表４２６の「総アイテム数」（前期および今期）とする。
【０２１３】
ステップＳＳＳ３では、自社アイテム分析部３１０は、棚割データベース３０１を参照して、カテゴリ別に提案棚モデル（現状棚）の自社に対応するアイテム数を前期および今期のそれぞれについて算出する。
【０２１４】
ステップＳＳＳ４では、自社アイテム分析部３１０は、ステップＳＳ３のアイテム数を合計し、現状棚カテゴリ別自社アイテム取り扱い表４２６の「現状棚アイテム数」（前期および今期）とする。ステップＳＳＳ５では、自社アイテム分析部３１０は、ステップＳＳＳ２（総アイテム数）およびステップＳＳＳ４（現状棚アイテム数）を受けて、取り扱い率（（現状棚アイテム数／総アイテム数）×１００）を前期および今期のそれぞれについて算出する（図１１参照）。
【０２１５】
図１３に戻り、ステップＳＡ８では、品揃え分析部３１１（図１参照）は、図１２に示した分析結果シート４００における「８．品揃え」（品揃え表４２７）に関する分析を行うための品揃え分析処理（図６１参照）を実行する。
【０２１６】
具体的には、図６１に示したステップＳＳＴ１では、品揃え分析部３１１は、市場ＰＯＳデータベース３０２から商品一覧のデータを取得する。ステップＳＳＴ２では、品揃え分析部３１１は、棚割データベース３０１から提案棚モデルの取扱い商品一覧データを取得する。
【０２１７】
ステップＳＳＴ３では、品揃え分析部３１１は、ステップＳＳＴ１で取得した商品一覧のデータに基づいて、図１２に示した品揃え表４２７の「カテゴリ」、「サブカテゴリ」、「品名」および「ＪＡＮコード」に各データを設定する。
【０２１８】
ステップＳＳＴ４では、品揃え分析部３１１は、品揃え表４２７において、取扱い商品（ステップＳＳＴ２）が商品一覧（ステップＳＳＴ１）に一致するものに「取扱い」を「有」とする。
【０２１９】
ステップＳＳＴ５では、品揃え分析部３１１は、棚割データベース３０１から、業態毎の棚モデルの数を取得する。ステップＳＳＴ６では、品揃え分析部３１１は、棚割データベース３０１から、商品別業態毎に、商品を扱っている棚モデルの数を取得する。
【０２２０】
ステップＳＳＴ７では、品揃え分析部３１１は、品揃え表４２７における、業態毎の各商品の取扱い率（ステップＳＳＴ５の棚モデルの数／ステップＳＳＴ６の棚モデルの数）を算出する。ステップＳＳＴ８では、品揃え分析部３１１は、市場ＰＯＳデータベース３０２から、カテゴリ別に業態・地域毎の販売額のデータを取得する（今期のみ）。
【０２２１】
ステップＳＳＴ９では、品揃え分析部３１１は、市場ＰＯＳデータベース３０２から、業態・地域毎の販売額のデータを取得する（今期のみ）。ステップＳＳＴ１０では、品揃え分析部３１１は、品揃え表４２７におけるカテゴリ市場構成比（ステップＳＳＴ８の販売額／ステップＳＳＴ９の販売額）を算出する。
【０２２２】
図６２に示したステップＳＳＴ１１では、品揃え分析部３１１は、市場ＰＯＳデータベース３０２から、サブカテゴリ別に業態・地域毎の販売額のデータを取得する（今期のみ）。
【０２２３】
ステップＳＳＴ１２では、品揃え分析部３１１は、市場ＰＯＳデータベース３０２から、業態・地域毎の販売額のデータを取得する（今期のみ）。ステップＳＳＴ１３では、品揃え分析部３１１は、品揃え表４２７におけるサブカテゴリ市場構成比（ステップＳＳＴ１１の販売額／ステップＳＳＴ１２の販売額）を算出する。
【０２２４】
ステップＳＳＴ１４では、品揃え分析部３１１は、市場ＰＯＳデータベース３０２から商品一覧のデータを取得する。ステップＳＳＴ１５では、品揃え分析部３１１は、内部変数ｉに１をセットする。ステップＳＳＴ１６では、品揃え分析部３１１は、棚割データベース３０１から企画商品に対応する企画商品ＪＡＮコードおよび定番商品に対応する定番商品ＪＡＮコードのレコードを一つ取得する。
【０２２５】
ステップＳＳＴ１７では、品揃え分析部３１１は、棚割データベース３０１にレコード（企画商品ＪＡＮコードおよび定番商品ＪＡＮコードの残りのレコード）が存在するか否かを判断し、この場合、判断結果を「Ｙｅｓ」とする。ステップＳＳＴ１８では、品揃え分析部３１１は、ステップＳＳＴ１６で取得した企画商品ＪＡＮコードと一致するＪＡＮコードが品揃え表４２７に存在するか否かを判断する。
【０２２６】
ステップＳＳＴ１８の判断結果が「Ｙｅｓ」である場合、ステップＳＳＴ１９では、品揃え分析部３１１は、品揃え表４２７の上記ＪＡＮコード（企画商品ＪＡＮコード）に対応する「企画／定番商品判別フラグ」に「ｉ＊」（企画商品という意味、ｉ＝１，２，３，・・・）を設定する。一方、ステップＳＳＴ１８の判断結果が「Ｎｏ」である場合、品揃え分析部３１１は、ステップＳＳＴ２０の判断を行う。
【０２２７】
ステップＳＳＴ２０では、品揃え分析部３１１は、ステップＳＳＴ１６で取得した定番商品ＪＡＮコードと一致するＪＡＮコードが品揃え表４２７に存在するか否かを判断する。
【０２２８】
ステップＳＳＴ２０の判断結果が「Ｙｅｓ」である場合、ステップＳＳＴ２１では、品揃え分析部３１１は、品揃え表４２７の上記ＪＡＮコード（定番商品ＪＡＮコード）に対応する「企画／定番商品判別フラグ」に「ｉ＃」（定番商品という意味）を設定する。
【０２２９】
ステップＳＳＴ２２では、品揃え分析部３１１は、内部変数ｉを１インクリメントした後、ステップＳＳＴ１６の処理を実行する。一方、ステップＳＳＴ２０の判断結果が「Ｎｏ」である場合、品揃え分析部３１１は、ステップＳＳＴ１６の処理を行う。以後、ステップＳＳＴ１７の判断結果が「Ｎｏ」になるまで、ステップＳＳＴ１６〜ステップＳＳＴ２２が繰り返される。
【０２３０】
そして、ステップＳＳＴ１７の判断結果が「Ｎｏ」になると、前述した一連の動作が終了し、出力部３１３からは、分析結果シート４００（図２〜図１２）が出力される。営業担当者は、分析結果シート４００を用いて担当する店舗へ提案を行う。
【０２３１】
以上説明したように、一実施の形態によれば、実店舗における複数の棚に適用された複数の棚割パターンに基づいて、複数の棚のうち提案棚に関する棚割統計値を回帰式（図６３（ｄ）参照）に基づいて生成した後、棚割統計値と提案棚に適用された棚割統計値（理想棚割パターン）との差分および市場ＰＯＳデータベース３０２（市場動向）に基づいて、棚割統計値に補正をかけ、提案棚に関する提案棚割パターン（提案値）を生成することとしたので、棚割パターンの改善について省労力で質が高い提案を行うことができる。
【０２３２】
また、一実施の形態によれば、回帰式を実店舗の業態毎に設定し、提案棚が属する業態に対応する回帰式から、棚割統計値を生成することとしたので、業態に応じてきめ細かい提案を行うことができる。
【０２３３】
また、一実施の形態によれば、市場動向として市場成長率を用いることとしたので、市場動向が反映された精度が高い提案を行うことができる。
【０２３４】
また、一実施の形態によれば、市場成長率に、商品の販売数および販売金額の双方の要素を含ませることとしたので、提案棚パターンが商品の回転率や商品単価に左右されるという弊害を防ぐことができる。
【０２３５】
また、一実施の形態によれば、市場成長率が、商品カテゴリ毎の市場構成比の変化から算出されることとしたので、売場スペースが頻繁に変化しない店舗に適合させることができる。
【０２３６】
また、一実施の形態によれば、提案値と現状値との差分を算出することとしたので、店舗側に対して、改善点を明確に提案することができる。
【０２３７】
また、一実施の形態によれば、図１２に示したように、市場商品データに基づく商品リストに対して、提案棚における商品の取り扱いの有無、商品種別をチェックすることとしたので、品揃えの状況についても改善点を提案することができる。
【０２３８】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０２３９】
例えば、前述した一実施の形態においては、棚割分析装置３００（図１参照）の機能を実現するためのプログラムを図６４に示したコンピュータ読み取り可能な記録媒体５００に記録して、この記録媒体５００に記録されたプログラムを同図に示したコンピュータ６００に読み込ませ、実行することにより各機能を実現してもよい。
【０２４０】
同図に示したコンピュータ６００は、上記プログラムを実行するＣＰＵ（Ｃｅｎｔｒａｌ  Ｐｒｏｃｅｓｓｉｎｇ  Ｕｎｉｔ）６１０と、キーボード、マウス等の入力装置６２０と、各種データを記憶するＲＯＭ（Ｒｅａｄ  Ｏｎｌｙ  Ｍｅｍｏｒｙ）６３０と、演算パラメータ等を記憶するＲＡＭ（Ｒａｎｄｏｍ  Ａｃｃｅｓｓ  Ｍｅｍｏｒｙ）６４０と、記録媒体５００からプログラムを読み取る読取装置６５０と、ディスプレイ、プリンタ等の出力装置６６０と、装置各部を接続するバス６７０とから構成されている。
【０２４１】
ＣＰＵ６１０は、読取装置６５０を経由して記録媒体５００に記録されているプログラムを読み込んだ後、プログラムを実行することにより、前述した機能を実現する。なお、記録媒体５００としては、光ディスク、フレキシブルディスク、ハードディスク等が挙げられる。
【０２４２】
【発明の効果】
以上説明したように、請求項１、２、３にかかる発明によれば、実店舗における複数の棚に適用された複数の棚割パターンに基づいて、複数の棚のうち提案対象の棚に関する理想棚割パターンを生成した後、理想棚割パターンと提案対象の棚に適用された実棚割パターンとの差分および市場動向に基づいて、理想棚割パターンに補正をかけ、提案対象の棚に関する提案棚割パターンを生成することとしたので、棚割パターンの改善について省労力で質が高い提案を行うことができるという効果を奏する。
【図面の簡単な説明】
【図１】本発明にかかる一実施の形態の構成を示すブロック図である。
【図２】図１に示した分析結果シート４００を示す図である。
【図３】図１に示した分析結果シート４００を示す図である。
【図４】図１に示した分析結果シート４００を示す図である。
【図５】図１に示した分析結果シート４００を示す図である。
【図６】図１に示した分析結果シート４００を示す図である。
【図７】図１に示した分析結果シート４００を示す図である。
【図８】図１に示した分析結果シート４００を示す図である。
【図９】図１に示した分析結果シート４００を示す図である。
【図１０】図１に示した分析結果シート４００を示す図である。
【図１１】図１に示した分析結果シート４００を示す図である。
【図１２】図１に示した分析結果シート４００を示す図である。
【図１３】同一実施の形態の動作を説明するフローチャートである。
【図１４】図１３に示したカテゴリ別スペースシェア分析処理を説明するフローチャートである。
【図１５】図１４に示した市場構成比分析処理を説明するフローチャートである。
【図１６】図１４に示した市場成長率分析処理を説明するフローチャートである。
【図１７】図１４に示した棚割統計値分析処理を説明するフローチャートである。
【図１８】図１４に示した現状棚分析処理を説明するフローチャートである。
【図１９】図１４に示したスペース提案処理を説明するフローチャートである。
【図２０】図１９に示したスペース現状値設定処理を説明するフローチャートである。
【図２１】図１９に示したスペース提案値算出処理を説明するフローチャートである。
【図２２】図１９に示したスペース提案値算出処理を説明するフローチャートである。
【図２３】図１９に示した差分算出処理を説明するフローチャートである。
【図２４】図１４に示したフェース数提案処理を説明するフローチャートである。
【図２５】図２４に示したフェース数現状値設定処理を説明するフローチャートである。
【図２６】図２４に示したフェース数提案値算出処理を説明するフローチャートである。
【図２７】図２４に示したフェース数提案値算出処理を説明するフローチャートである。
【図２８】図２４に示した差分算出処理を説明するフローチャートである。
【図２９】図１３に示したカテゴリ別アイテムシェア分析処理を説明するフローチャートである。
【図３０】図２９に示した棚割統計値分析処理を説明するフローチャートである。
【図３１】図２９に示した現状棚分析処理を説明するフローチャートである。
【図３２】図２９に示したアイテム数提案処理を説明するフローチャートである。
【図３３】図３２に示したアイテム数現状値設定処理を説明するフローチャートである。
【図３４】図３２に示したアイテム数提案値算出処理を説明するフローチャートである。
【図３５】図３２に示したアイテム数提案値算出処理を説明するフローチャートである。
【図３６】図３２に示した差分算出処理を説明するフローチャートである。
【図３７】図１３に示したカテゴリ別スペース分布図生成処理を説明するフローチャートである。
【図３８】図１３に示したサブカテゴリ別スペースシェア分析処理を説明するフローチャートである。
【図３９】図３８に示した市場構成比分析処理を説明するフローチャートである。
【図４０】図３８に示した市場成長率分析処理を説明するフローチャートである。
【図４１】図３８に示した棚割統計値分析処理を説明するフローチャートである。
【図４２】図３８に示した現状棚分析処理を説明するフローチャートである。
【図４３】図３８に示した拡大示唆フラグ設定処理を説明するフローチャートである。
【図４４】図１３に示したハブラシ価格帯別スペースシェア分析処理を説明するフローチャートである。
【図４５】図４４に示した市場構成比分析処理を説明するフローチャートである。
【図４６】図４４に示した市場成長率分析処理を説明するフローチャートである。
【図４７】図４４に示した棚割統計値分析処理を説明するフローチャートである。
【図４８】図４４に示した現状棚分析処理を説明するフローチャートである。
【図４９】図４４に示した拡大示唆フラグ設定処理を説明するフローチャートである。
【図５０】図１３に示したカテゴリ別メーカシェア分析処理を説明するフローチャートである。
【図５１】図５０に示した市場構成比分析処理を説明するフローチャートである。
【図５２】図５０に示した売場平均分析処理を説明するフローチャートである。
【図５３】図５２に示したフェース構成比分析処理を説明するフローチャートである。
【図５４】図５２に示したスペース構成比分析処理を説明するフローチャートである。
【図５５】図５２に示したアイテム構成比分析処理を説明するフローチャートである。
【図５６】図５０に示した現状棚分析処理を説明するフローチャートである。
【図５７】図５６に示した現状棚フェース数分析処理を説明するフローチャートである。
【図５８】図５６に示した現状棚スペース値分析処理を説明するフローチャートである。
【図５９】図５６に示した現状棚アイテム値分析処理を説明するフローチャートである。
【図６０】図１３に示した現状棚カテゴリ別自社アイテムり扱い分析処理を説明するフローチャートである。
【図６１】図１３に示した品揃え分析処理を説明するフローチャートである。
【図６２】図１３に示した品揃え分析処理を説明するフローチャートである。
【図６３】同一実施の形態で用いられる各種表を示す図である。
【図６４】同一実施の形態の変形例の構成を示すブロック図である。
【符号の説明】
３００  棚割分析装置
３０１  棚割データベース
３０２  市場ＰＯＳデータベース
３０４  カテゴリ別スペースシェア分析部
３０５  カテゴリ別アイテムシェア分析部
３０６  スペース分布図生成部
３０７  サブカテゴリ別スペースシェア分析部
３０８  価格帯別スペースシェア分析部
３０９  カテゴリ別メーカシェア分析部
３１０  自社アイテム分析部
３１１  品揃え分析部
【図１】
2004227272.tif 000003
【図２】
2004227272.tif 000004
【図３】
2004227272.tif 000005
【図４】
2004227272.tif 000006
【図５】
2004227272.tif 000007
【図６】
2004227272.tif 000008
【図７】
2004227272.tif 000009
【図８】
2004227272.tif 000010
【図９】
2004227272.tif 000011
【図１０】
2004227272.tif 000012
【図１１】
2004227272.tif 000013
【図１２】
2004227272.tif 000014
【図１３】
2004227272.tif 000015
【図１４】
2004227272.tif 000016
【図１５】
2004227272.tif 000017
【図１６】
2004227272.tif 000018
【図１７】
2004227272.tif 000019
【図１８】
2004227272.tif 000020
【図１９】
2004227272.tif 000021
【図２０】
2004227272.tif 000022
【図２１】
2004227272.tif 000023
【図２２】
2004227272.tif 000024
【図２３】
2004227272.tif 000025
【図２４】
2004227272.tif 000026
【図２５】
2004227272.tif 000027
【図２６】
2004227272.tif 000028
【図２７】
2004227272.tif 000029
【図２８】
2004227272.tif 000030
【図２９】
2004227272.tif 000031
【図３０】
2004227272.tif 000032
【図３１】
2004227272.tif 000033
【図３２】
2004227272.tif 000034
【図３３】
2004227272.tif 000035
【図３４】
2004227272.tif 000036
【図３５】
2004227272.tif 000037
【図３６】
2004227272.tif 000038
【図３７】
2004227272.tif 000039
【図３８】
2004227272.tif 000040
【図３９】
2004227272.tif 000041
【図４０】
2004227272.tif 000042
【図４１】
2004227272.tif 000043
【図４２】
2004227272.tif 000044
【図４３】
2004227272.tif 000045
【図４４】
2004227272.tif 000046
【図４５】
2004227272.tif 000047
【図４６】
2004227272.tif 000048
【図４７】
2004227272.tif 000049
【図４８】
2004227272.tif 000050
【図４９】
2004227272.tif 000051
【図５０】
2004227272.tif 000052
【図５１】
2004227272.tif 000053
【図５２】
2004227272.tif 000054
【図５３】
2004227272.tif 000055
【図５４】
2004227272.tif 000056
【図５５】
2004227272.tif 000057
【図５６】
2004227272.tif 000058
【図５７】
2004227272.tif 000059
【図５８】
2004227272.tif 000060
【図５９】
2004227272.tif 000061
【図６０】
2004227272.tif 000062
【図６１】
2004227272.tif 000063
【図６２】
2004227272.tif 000064
【図６３】
2004227272.tif 000065
【図６４】
2004227272.tif 000066